(57)【要約】【課題】多数の遺骨を納骨することができ、かつ、内部の結露を防止できて遺骨を良好な状態に保存することができるとともに、地震や台風等によって転倒することがないお墓を提供する。【解決手段】矩形枠状の台座上に立設された支柱、側壁、前壁及び後壁上に屋根を載置して箱体状に形成し、その内部に盛り土で複数段の供養壇を後方に向かって次第に高くなるように階段状に形成し、各供養壇に遺骨を収納する仕切りブロックを複数列に並べて配置する。上記屋根の下面の複数箇所に換気口を設ける。上記側壁を外壁と内壁とからなる二重構造とし、外壁と内壁との間に断熱空間を設ける。【選択図】      図６
2006057415.tif 000002
【特許請求の範囲】
【請求項１】
地面上に設置される矩形枠状の基台と、基台の四隅角部にそれぞれ立設された支柱と、基台の左右側端の前端と後端に立設された支柱間に立設された側壁と、基台の前端の左右側端に立設された支柱間に配設され、中央に開口部を有する前壁と、基台の後端の左右側端に立設された支柱間に立設された後壁と、支柱、側壁、前壁及び後壁上に載置された屋根と、前壁の開口部に開閉自在に配設された開閉扉とで箱体状に形成され、その内部に盛り土で複数段の供養壇を後方に向かって次第に高くなるように階段状に形成し、各供養壇に遺骨を収納する仕切りブロックを複数列に並べて配置するようにしたことを特徴とするお墓。
【請求項２】
上記仕切りブロックに、故人の顔写真を添付したり、故人の戒名或いは俗名、略歴、生年月日や死亡日等を印刷又は刻印したりできる故人情報欄を設けたことを特徴とする請求項１記載のお墓。
【請求項３】
上記屋根の下面の複数箇所に換気口を設けたことを特徴とする請求項１又は請求項２記載のお墓。
【請求項４】
上記側壁は、外壁と内壁とからなる二重構造を有し、外壁と内壁との間に断熱空間を設けたことを特徴とする請求項１乃至請求項３のいずれかに記載のお墓。
【発明の詳細な説明】
【技術分野】
【０００１】
本発明は、火葬後の遺骨を納骨するために霊園、お寺等に建立されるお墓に関するものである。
【背景技術】
【０００２】
従来、火葬後の遺骨を納骨するお墓の一例として、図８及び図９に示す形態のお墓２０が知られている。このお墓２０は、内部に骨壷を収納するための納骨室２２が形成された納骨堂２１の上に複数段に積み重ねた墓石２３，２４，２５，２６と蓋石２７とを設置し、最下段の墓石２３に納骨室２２に開口した開口部２３ａを形成するとともに、蓋石２７の上に開口部２３ａを塞ぐように香炉２８が置かれている。
【０００３】
このお墓２０において納骨時には、香炉２７を移動させて墓石２５の開口部２５ａを開口させ、この墓石２５の開口部２５ａから納骨堂２１の納骨室２２に遺骨を入れた骨壷を収納するようになっている。
【発明の開示】
【発明が解決しようとする課題】
【０００４】
ところで、従来のお墓２０は、骨壷を収納する納骨室２２を土中に造るから、その容積は限られたものとなり、収納できる骨壷の数に限度がある。このため、骨壷の数が増えて収納できなくなった場合、お墓を大きなものにしたり、別のお墓に移したり、古い骨壷から順に遺骨を取り出して土に返したりして対処していた。
【０００５】
また、従来のお墓２０は、墓石２５の開口部２５ａが香炉２７によって閉じられているから、納骨室２５の換気性が悪くて湿気がこもりがちであり、そのため、昼夜の温度差により納骨室２５内に結露が発生し易い。納骨室２２内に結露が発生すると、その水滴が落ちて下方に溜まり、収納されている骨壷が水漬しになったり、骨壷の内部にも水が溜まって遺骨に悪影響を及ぼすという問題があった。
【０００６】
更に、従来のお墓２０は、複数段に積み重ねた墓石２３，２４，２５を積み重ね高さが高いだけに安定性に問題があり、地震や台風等によって転倒してしまう虞があり、地震や台風の多い我が国においては大いに問題があると思われる。
【０００７】
本発明はこのような従来における問題点を解消することができるお墓を提供するものである。
【課題を解決するための手段】
【０００８】
本発明は、地面上に設置される矩形枠状の基台と、基台の四隅角部にそれぞれ立設された支柱と、基台の左右側端の前端と後端に立設された支柱間に立設された側壁と、基台の前端の左右側端に立設された支柱間に配設され、中央に開口部を有する前壁と、基台の後端の左右側端に立設された支柱間に立設された後壁と、支柱、側壁、前壁及び後壁上に載置された屋根と、前壁の開口部に開閉自在に配設された開閉扉とで箱体状に形成され、その内部に盛り土で複数段の供養壇を後方に向かって次第に高くなるように階段状に形成し、各供養壇に遺骨を収納する仕切りブロックを複数列に並べて配置するようにしたことを特徴とする。
【０００９】
上記のように後方に向かって次第に高くなるように階段状に形成した複数壇の供養壇に遺骨を収納する仕切りブロックを複数列に並べてそれぞれ載置したことにより、多数個の仕切りブロックを配置できて長期にわたり納骨することが可能である。また、上記のように箱体状に形成したことにより、安定性が良くて耐震性に優れた構造となり、地震や台風等によって転倒することがなくなる。
【００１０】
また、本発明は、上記仕切りブロックに、故人の顔写真を添付したり、故人の戒名或いは俗名、略歴、生年月日や死亡日等を印刷又は刻印したりできる故人情報欄を設けたことを特徴とする。
【００１１】
上記のように仕切りブロックに故人情報欄を設けたことにより、納骨数が増えても故人情報欄によって一目で誰のものが判別することができる。
【００１２】
また、本発明は、上記屋根の下面の複数箇所に換気口を設けたことを特徴とする。
【００１３】
上記のように屋根の下面の複数箇所に換気口を設けたことにより、内部を換気口を介して自然換気することができ、内部に湿気がこもるのを有効に防止することができる。
【００１４】
更に、本発明は、上記側壁は、外壁と内壁とからなる二重構造を有し、外壁と内壁との間に断熱空間を設けたことを特徴とする。
【００１５】
上記のように側壁を外壁と内壁とからなる二重構造とし、外壁と内壁との間に断熱空間を形成したことにより、断熱空間により熱の伝導が遮断されて内部には外気の熱が伝わり難くなり、内部に結露を生じることを有効に防止することができる。しかも、側壁を二重構造にして厚みを持たせたことにより、より安定性が増して耐震性がより優れた構造とすることができる。
【発明の効果】
【００１６】
本発明によれば、多数の遺骨を納骨することができて何世代もの長期にわたり納骨が可能であるとともに、納骨数が増えても一目で誰のものが判別することができる。しかも、内部の結露を防止できて遺骨を良好な乾燥状態に保存することができるとともに、安定性が良くて耐震性に優れているため、地震や台風等によって転倒することがなくて地震や台風の多い我が国では最適である。
【発明を実施するための最良の形態】
【００１７】
図１乃至図５は、本発明の一実施形態に係るお墓を示すもので、図１はお墓の正面図、図２はお墓の背面図、図３はお墓の側面図、図４は図１のＡ−Ａ線における断面図、図５は図３のＢ−Ｂ線における断面図、図６はお墓の開扉状態の斜視図である。
【００１８】
図１乃至図６に示すように、本発明の一実施例に係るお墓１は、石製の台座２と、台座２の四隅角部にそれぞれ立設された石製の支柱３と、台座２の左右側端の前端と後端に立設された支柱３間に立設された石製の側壁４と、台座２の前端の左右側端に立設された支柱３間に立設され、中央に開口部５ａを有する石製の前壁５と、台座２の後端の左右側端に立設された支柱３間に立設された石製の後壁６と、支柱３、側壁４、前壁５及び後壁６上に載置された石製の屋根７と、前壁５の開口部５ａに開閉可能に配設された石製の開閉扉８とで直方体状の箱体状に形成されたものであり、その内部は遺骨を収納するための納骨室９になっている。このお墓１は、地中に形成された鉄筋コンクリート製の基礎１６の上に台座２が載せてられており、基礎１６と台座２とが図示しない例えば真ちゅうやステンレス等の防錆材料よりなる固定具によって固定されている。基礎１６は、矩形箱枠状に形成して上下端が開口されており、その内部に土が詰め込まれている。尚、台座２、支柱３、側壁４、前壁５、後壁６及び屋根７は、適宜の接合剤で互いに接合されている。
【００１９】
台座２は、矩形枠状に形成された下台座２ａと、前面側の中央部分が開口する矩形枠状に形成された上台座２ｂとを段状に積み重ねて構成されている。そして、台座２で形成された矩形枠状の内部には、盛り土で複数段（本実施形態においては５段）の供養壇１０が後方に向かって次第に高くなるように階段状に形成されており、各供養壇１０にコ字枠状に形成された石製の仕切りブロック１１を複数列（本実施形態においては４列）に並べて配置することにより、納骨室９内を多数個の納骨区画を形成させている。仕切りブロック１１は、その下側部分が供養壇１０を形成する盛り土の内部に埋め込まれており、この仕切りブロック１１により仕切られた区画の土中に遺骨を埋めるようになっている。仕切りブロック１１は、前方部に必要に応じて故人の顔写真を添付したり、故人の戒名或いは俗名、略歴、生年月日や死亡日等を印刷又は刻印したりできる故人情報欄１２が設けられている。仕切りブロック１１の材質は石に限定されるものではなく、樹脂類、金属、陶磁器等で構成することができる。仕切りブロック１１は、コ字形枠状になっているが、この形状に限定されるわけではない。
【００２０】
側壁４は、外壁４ａと内壁４ｂとからなる２重構造を有し、外壁４ａと内壁４ｂとの間に熱の伝導を遮断するための断熱空間１３が設けられている。
【００２１】
屋根７は、下板７ａ、中板７ｂ、上板７ｃの３枚からなり、これらを順次積み重ねて段状にすることによって装飾的な屋根を形成している。屋根７の下板１ａの下面の複数箇所（本実施形態においては、前端部及び後端部の支柱３に近い左右両側部の４箇所）には納骨室９内の空気を換気するための換気口１４が設けられている。
【００２２】
開閉扉８は、左右一対の扉板８ａによって構成されており、扉板８ａの上下端に図示しない取付軸を突設した金具を固着し、この金具の取付軸を屋根７の下面と台座１の上面とに穿設した図示しない軸穴に嵌入することによって観音開き式に開閉自在となっている。開閉扉８には内部を荒らされるのを防止するための錠前(図示せず)が設けてある。そして、錠前が露出してお墓の美観や荘厳さを損なわないように、開閉扉８の前面に錠前を隠すように蓋石１５が置かれている。従って、お墓１を外部から見ただけでは錠前が容易に分からない。開閉扉８を開くときは、蓋石１５を開閉扉８の前面から支障のない場所へ一時的に移動して錠前を開錠し、開閉扉８の扉板８ａを手前に引いて開扉させる。
【００２３】
本発明に係るお墓１において、お参りする場合は、蓋石１５を開閉扉８の前面から支障のない場所へ一時的に移動して錠前を開錠し、開閉扉８の扉板８ａを手前に引いて開扉させる。開閉扉８を開扉させると、前壁５の開口部５ａを通して納骨室９の内部が全て見渡せる状態になっており、供養壇１０上に配置された仕切りブロック１１に向かってお参りするようになっている。また、納骨する場合は、開閉扉８を開扉させた後、仕切りブロック１１内に敷設された土中に遺骨を埋葬して納骨するようになっている。
【００２４】
以上説明したように、本発明に係るお墓１は、納骨室９内に盛り土で複数段の供養壇１０を後方に向かって次第に高くなるように階段状に形成し、各供養壇１０に遺骨を収納する仕切りブロック１１を複数列に並べて配置したことにより、納骨室９内に多数個の納骨区画を形成することができるため、多数の遺骨を納骨することができて何世代もの長期にわたり納骨が可能である。しかも、仕切りブロック１１に必要に応じて故人の顔写真を添付したり、故人の戒名或いは俗名、略歴、生年月日や死亡日等を印刷又は刻印したりできる故人情報欄１２を設けたことにより、納骨数が増えても故人情報欄１２によって一目で誰のものが判別することができるとともに、家族や子孫等は親しみをこめてお参りすることができる。
【００２５】
また、本発明に係るお墓１は、屋根７の下面の複数箇所に納骨室９内の空気を換気するための換気口１４を設けたことにより、納骨室９内を換気口１４を介して自然換気することができるため、納骨室９内に湿気がこもるのを有効に防止することができる。しかも、側壁４を外壁４ａと内壁４ｂとからなる２重構造とし、外壁４ａと内壁４ｂとの間に熱の伝導を遮断するための断熱空間１３を設けたことにより、断熱空間１３により熱の伝導が遮断されて納骨室９内には外気の熱が伝わり難いため、納骨室９内に結露を生じることを有効に防止できて遺骨を良好な乾燥状態に保存することができる。
【００２６】
更に、本発明に係るお墓１は、矩形枠状の台座２上に立設された支柱３、側壁４、前壁５及び後壁６上に屋根７を載置して箱体状に形成させるとともに、側壁４を外壁４ａと内壁４ｂとからなる二重構造にして厚みをもたせたことにより、安定性が良い構造となり、耐震性に優れているため、地震や台風等によって転倒することがなく、地震や台風の多い我が国では最適である。
【図面の簡単な説明】
【００２７】
【図１】本発明の一実施形態に係るお墓の正面図である。
【図２】図１のお墓の背面図である。
【図３】図１のお墓の側面図である。
【図４】図１のＡ−Ａ線における断面図である。
【図５】図３のＢ−Ｂ線における断面図である。
【図６】図１のお墓の開扉状態の斜視図である。
【図７】仕切りブロックの斜視図である。
【図８】従来のお墓の斜視図である。
【図９】従来のお墓の一部を断面した側面図である。
【符号の説明】
【００２８】
１  お墓
２  台座
３  支柱
４  側壁
４ａ  外壁
４ｂ  内壁
５  前壁
５ａ  開口部
６  後壁
７  屋根
８  開閉扉
８ａ  扉板
９  納骨室
１０  供養壇
１１  仕切りブロック
１２  故人情報欄
１３  断熱空間
１４  換気口
１５  蓋石
【図１】
2006057415.tif 000003
【図２】
2006057415.tif 000004
【図３】
2006057415.tif 000005
【図４】
2006057415.tif 000006
【図５】
2006057415.tif 000007
【図６】
2006057415.tif 000008
【図７】
2006057415.tif 000009
【図８】
2006057415.tif 000010
【図９】
2006057415.tif 000011